(57)【要約】【課題】  エアフィルタ周りの形状を小型にして、吸入効率を低下させることなく、吸気口を開閉する機構を提供することである。【解決手段】  吸気口径以下の移動量で吸入口を閉鎖するシャッターを、取付け台の外周に配設し、シャッターを弾性体で支持された状態にして、エアフィルタの着脱を行うことで吸気口を開閉する機構を提供する。【選択図】図３
2014020313.tif 000002
【特許請求の範囲】
【請求項１】
エンジンの吸気通路に接続される気化器と、前記気化器に固定される取付け台と、前記取付け台の吸気口と大気の間に着脱自在のエアフィルタを有する携帯型作業機において、
前記エアフィルタの着脱に応じて前記取付け台の吸気口を外周から開閉する開閉手段を備えることを特徴とする携帯型作業機。
【請求項２】
前記開閉手段は、前記取付け台の外周に設けられた弾性体により付勢されていることを特徴とした請求項１に記載の携帯型作業機。
【請求項３】
前記開閉手段は、前記吸気口の軸と同軸方向に移動しながら、吸気口の軸と垂直方向に開閉することを特徴とした請求項２に記載の携帯型作業機。
【請求項４】
前記開閉手段は、閉鎖状態において前記吸気口の軸と垂直の方向に切れ目があることを特徴とした請求項２又は請求項３に記載の携帯型作業機。
【請求項５】
前記開閉手段は、閉鎖状態において前記吸気口を覆う部分が、解放状態においてエアフィルタ内部に収まることを特徴とする請求項３又は請求項４に記載の携帯型作業機。
【請求項６】
前記開閉手段と前記エアフィルタは、前記取付け台の溝にエアフィルタの爪を入れ、奥まで押し込んだ状態で回転させることで前記溝のかえり部に掛止され、前記エアフィルタの着脱が可能となることを特徴とした請求項３乃至請求項５の何れか一項に記載の携帯型作業機。
【発明の詳細な説明】
【技術分野】
【０００１】
本発明は、エンジンを動力源とする携帯型作業機に関する。
【背景技術】
【０００２】
携帯型作業機においては、木屑や粉塵などが多い野外環境で使用されることが多い。そのため、燃焼用の吸入空気中に含まれる木屑や粉塵などを除去するため、エンジンに燃料を供給する気化器にエアフィルタを取付け、更に気化器やエアフィルタを内包するような浄化室が設置されているものが知られている。
浄化室に入った木屑や粉塵は、燃焼用に空気と同時に吸入されることから、エアフィルタが目詰まりを起こし、回転数が不安定となるたびに作業者がエアフィルタを外した状態で掃除している。
しかしながら、浄化室の内壁などに木屑や粉塵が付着している状態でエアフィルタを外すことで、吸気口に木屑や粉塵が入りやすい状態になるという問題があった。
そのため、例えば特許文献１のように、エアフィルタを連結したシュノーケル形状の吸入管路を吸入通路内に設け、吸気口から前記吸入管路を外すことで、吸入通路内の弾性体に支持された蓋が吸入通路を塞ぎ、吸気口に木屑や粉塵が入るのを防止し、前記吸入管路の組立て時は、シュノーケル形状の管路に切欠き部を設けていることで、吸気口からシュノーケル形状の前記吸入管路を差し込むと、気化器の吸入通路と外気がつながり、燃焼用に空気を取り込むようにしたものがあった。
【先行技術文献】
【特許文献】
【０００３】
【特許文献１】特開平７−２４７９２７号公報
【発明の概要】
【発明が解決しようとする課題】
【０００４】
特許文献１のような構造では、次のような問題がある。すなわち、吸入通路内のシュノーケルを外すことで、吸入通路内の蓋が吸気口を閉鎖することから、シュノーケルの組み付け時には、シュノーケルと気化器につながる吸入通路まではある程度の距離が必要となる。そのため、刈払い機やチェンソーのように気化器からエアフィルタまでの距離が短い場合は、エアフィルタ周りの形状を長くし、クリーナカバーを外側に出す必要があるため、製品の大型化につながる。
【０００５】
また、少しでも小型にするために、気化器の吸入通路に対してシュノーケルを垂直に配設することで、直線ラインの吸入通路に比べ、空気吸入時の損失が大きくなるため、吸入効率の低下につながりエンジン性能を満足に発揮することができない。
そこで本発明の目的は、エアフィルタ周りの形状を短くし、また吸入効率を向上させた、吸気口を開閉する機構を提供することである。
【課題を解決するための手段】
【０００６】
上記目的を達成するため、本発明は、吸気口径以下の移動量で吸入口を閉鎖するシャッターを、取付け台の外周に配設し、シャッターを弾性体で支持された状態にして、エアフィルタの着脱を行うことで吸気口を開閉することで達成される。
【発明の効果】
【０００７】
本発明によれば、エアフィルタ周りの形状が小型化されて、吸入効率を低下させることなく、エンジン性能を満足に発揮することができる。
【図面の簡単な説明】
【０００８】
【図１】本発明の実施形態に係るチェンソーの外観を示す斜視図である。
【図２】本発明の実施形態に係るシリンダから外気までの吸入通路の断面図。
【図３】本発明の実施形態に係る吸気口の解放状態の断面図。
【図４】本発明の実施形態に係る取付け台の斜視図。
【図５】本発明の実施形態に係るエアフィルタの斜視図。
【図６】本発明の実施形態に係る吸気口の閉鎖状態の斜視図。
【図７】本発明の実施形態に係る閉鎖状態の吸気口正面図（Ａの矢視図）。
【発明を実施するための最良の形態】
【０００９】
以下、図面を参照しながら本発明の好適な実施の形態を詳述する。なお、各図面に示される同一または同等の構成要素、部材、処理等には同一の符号を付し、適宜重複した説明は省略する。図１は本発明の実施形態によるチェンソーの外観を示す斜視図、図２はシリンダから外気までの吸入通路の断面図、図３は吸気口の解放状態の断面図である。
【００１０】
図１においてチェンソー２０は２サイクルエンジンを搭載し、本体部の前方にガイドバー２５が突出する。ガイドバー２５の周縁には、ソーチェン２６が巻回され、ソーチェンを高速で回転させることによって木や枝などの切断が可能となる。チェンソー２０の上方には、メインハンドル２１が設けられ、メインハンドル３の前端付近から横及び下方向にフロントハンドル２７が延びるように設けられる。
【００１１】
メインハンドル２１は、作業者が右手で把持するためのハンドルであり、フロントハンドル２７は作業者が左手で把持するためのハンドルである。メインハンドル上部付近にはロックレバー２２が設けられ、前端付近にはイグニッションスイッチが設けられる。サブハンドル２７の前方にはハンドガード２４が設けられる。ハンドガード２４は、作業者の手に、枝や切断物などが接触しないよう保護するとともに、前方に倒れることでソーチェンの制動機構のスイッチとしての役割を有する。
【００１２】
チェンソー２０の内部には、２サイクルエンジンが横置きで収容されており、図２及び図３に示すように、シリンダ１の上部にある吸気口から吸気管２が延び、気化器４が取り付けられている。気化器４は本体カバーの後方側に形成されたクリーナボディ５とクリーナカバー１１の内側によって形成される。吸気口から気化器４へは取付け台６を介して接続される。言い換えれば、シリンダ１に連接する吸気管２は、浄化室３の気化器４とクリーナボディ５を圧着することで、気化器４と連結する。このとき、気化器４は、クリーナボディ５と取付け台６を圧着することで、燃焼用にシリンダ１へ空気を吸入する吸入通路７の入り口は、取付け台６の吸気口６ａのみとなる。そのため、吸入する空気に木屑や粉塵がまざらないように、取付け台６の先端にエアフィルタ８を連結することで、空気と木屑や粉塵を分離して、吸入することができる。
【００１３】
取付け台６の周囲には、スプリング１０及びシャッター９（開閉手段）が配置されている。シャッター９は蓋状に形成され、中央の切れ目から分割しながら開放可能であり、閉鎖することで取付け台６の吸気口６ａを覆うよう構成されている。スプリング１０は、円筒状の取付け台６の外周に通路の軸方向に沿って弾性変形可能に設けられるとともに、シャッター９のフランジ部９ａに掛止してシャッター９を閉鎖側に付勢している。エアフィルタ８は、スプリング１０の付勢力に抗しながらフランジ部９ａを押し込むことで、シャッター９を開放状態とする。
【００１４】
本発明による吸気口６ａの閉鎖状態（エアフィルタ取り外し時）を図５、図６に示す。図６においては、クリーナボディ５からクリーナカバー１１を外し、エアフィルタ８を取付け台６から取り外した状態を示す。シャッター９は、スプリング１０により、吸気口６ａを閉鎖する閉鎖状態とされる。
【００１５】
次に、本発明による携帯型作業機におけるエアフィルタ８の着脱作業について説明する。
まず、本発明による吸気口の解放状態（エアフィルタ装着時）を図３に示す。取付け台６の外周にシャッター９を配設し、弾性体のスプリング１０で支持され、エアフィルタ８がシャッター９のフランジ部９ａを押付けるように組み付けることで、シャッター９は取付け台６の吸入通路７と平行となり、吸気口６ａは開放した状態になる。また、図４に示すように、取付け台６の溝６ｂがＬ字形状になっている。そのため、図５に示すように、エアフィルタ８の爪８ａが組付け状態では回転することで溝６ｂに引っ掛り、スプリング１０の力でエアフィルタ８が外れない状態となる。
【００１６】
エアフィルタ８を取り外すときは、取付け台６の溝６ｂに引っ掛ったエアフィルタ８を少し押し、回転させてからエアフィルタ８を取り出すと、押付けられていたシャッター９はスプリング１０の力で、押し出される。このとき、シャッター９は、外周側に切り込み９ｂがあり、スプリング１０の力で押し出されると、取付け台６のガイド６ｃに沿って移動することが可能となり、シャッター９が吸気口６ａを閉鎖状態にすることができる。
【００１７】
以上説明した実施形態では、２サイクルエンジンを用いたチェンソー２０に適用したエンジン作業機の例を説明したが、本発明を適用する機器は任意の機器で良く、他のエンジン作業機や、エンジンを使った機器にも同様に広く適用できる。また、２サイクルエンジンだけでなく４サイクルエンジンでも同様に適用できる。
【００１８】
以上、本発明を示す実施形態に基づき説明したが、本発明は上述の形態に限定されるものではなく、その趣旨を逸脱しない範囲内で種々の変更が可能である。
【符号の説明】
【００１９】
１はシリンダ、２は吸気管、３は浄化室、４は気化器、５はクリーナボディ、６は取付け台、６ａは吸気口、６ｂは溝、６ｃはガイド、７は吸入通路、８はエアフィルタ、８ａは爪、９はシャッター（開閉手段）、９ａはフランジ部、９ｂは切り込み、１０はスプリング、１１はクリーナカバー、２０はチェンソー
【図１】
2014020313.tif 000003
【図２】
2014020313.tif 000004
【図３】
2014020313.tif 000005
【図４】
2014020313.tif 000006
【図５】
2014020313.tif 000007
【図６】
2014020313.tif 000008
【図７】
2014020313.tif 000009